(57)【要約】次世代ネットワークでの情報インタラクションの実現方法及びシステムが提供される。前記方法は、サービス制御機能（ＳＣＦ）が、ＩＤ−Ｌｏｃ分離マッピング機能エンティティ（ＩＬＭ−ＦＥ）に位置クエリ要求メッセージを送信するステップと、前記ＩＬＭ−ＦＥが、位置情報及び／又はアクセスサービス制御機能のＩＰ接続セッション特性の情報を含む位置クエリ応答メッセージをＳＣＦにフィードバックするステップとを含む。本発明によれば、サービス制御層が、ＩＤ−Ｌｏｃ分離技術を利用してサービス層に対して制御を良く行い、移動位置が変化してもユーザ識別子も変化しない特性を利用して、モバイルプロセスにおける端末の高速の伝送位置管理を提供する。ＮＧＮネットワークにおいて、ユーザ識別子に基づくサービス制御を実現し、モビリティ又はマルチホーミングＩＰアドレスの変化時に、ユーザのサービスが中断しないことを保証する。【選択図】図５
2013509114.tif 000002
【特許請求の範囲】
【請求項１】
次世代ネットワークでの情報インタラクションの実現方法であって、
サービス制御機能（ＳＣＦ）が、ＩＤ−Ｌｏｃ分離マッピング機能エンティティ（ＩＬＭ−ＦＥ）に位置クエリ要求メッセージを送信するステップと、
前記ＩＬＭ−ＦＥが、位置情報及び／又はアクセスサービス制御機能のＩＰ接続セッション特性の情報を含む位置クエリ応答メッセージをＳＣＦにフィードバックするステップとを含む次世代ネットワークでの情報インタラクションの実現方法。
【請求項２】
前記位置クエリ応答メッセージに含まれる情報は、
サービス制御機能特性及び／又は伝送サブスクリプション識別子を更に含む
請求項１に記載の方法。
【請求項３】
前記位置情報は、
ユーザ識別子及び／又はユーザ装置に割り当てたＩＰアドレスを含む
請求項１に記載の方法。
【請求項４】
次世代ネットワークでの情報インタラクションの実現システムであって、
ＩＤ−Ｌｏｃ分離マッピング機能エンティティ（ＩＬＭ−ＦＥ）に位置クエリ要求メッセージを送信するように設定されるサービス制御機能（ＳＣＦ）と、
位置情報及び／又はアクセスサービス制御機能のＩＰ接続セッション特性の情報を含む位置クエリ応答メッセージをＳＣＦにフィードバックするように設定される前記ＩＬＭ−ＦＥとを含む次世代ネットワークでの情報インタラクションの実現システム。
【請求項５】
前記位置クエリ応答メッセージに含まれる情報は、
サービス制御機能特性及び／又は伝送サブスクリプション識別子を更に含む
請求項４に記載のシステム。
【請求項６】
前記位置情報は、
ユーザ識別子及び／又はユーザ装置に割り当てたＩＰアドレスを含む
請求項４に記載のシステム。
【請求項７】
次世代ネットワークでの情報インタラクションの実現をサポートするサービス制御機能（ＳＣＦ）であって、
ＩＤ−Ｌｏｃ分離マッピング機能エンティティ（ＩＬＭ−ＦＥ）に位置クエリ要求メッセージを送信するように設定される送信モジュールと、
前記ＩＬＭ−ＦＥによってフィードバックされる位置クエリ応答メッセージを受信するように設定される受信モジュールとを含み、
ここで、前記位置クエリ応答メッセージが、位置情報及び／又はアクセスサービス制御機能のＩＰ接続セッション特性の情報を含む、次世代ネットワークでの情報インタラクションの実現サービス制御機能（ＳＣＦ）。
【発明の詳細な説明】
【技術分野】
【０００１】
本発明は、通信技術分野に関し、特に、ＩＤ（固体識別子）−Ｌｏｃ（位置）分離に基づく次世代ネットワークでの情報インタラクションの実現方法及びシステムに関する。
【背景技術】
【０００２】
現在のインターネットの各層構造において、物理層以外、各層のプロトコルエンティティが、すべて、自身の名前空間を持ち、前記名前空間が、それぞれ、リンク層のＭＡＣアドレス、ネットワーク層のＩＰアドレス、伝送層のＩＰアドレスとポート番号、及びアプリケーション層のドメイン名である。これらの名前空間において、ＭＡＣアドレスは、サブネットワークのみに一意であると要求され、ポート番号は、ホスト内部のみに一意であると要求され、これによって、インターネットにおいて、ＩＰアドレスとドメイン名という２つの重要なグローバル名前空間がある。ドメイン名とＩＰアドレスとの間に、ＤＮＳを介して解析が実現される。このような名前空間構造において、ＩＰアドレスは、二重機能を有し、ネットワーク層の通信端末ホストネットワークインターフェースのネットワークトポロジーでの位置識別子として機能する上に、伝送層のホストネットワークインタフェースの個体識別子として機能することがある。
【０００３】
ＴＣＰ／ＩＰプロトコルの設計初期では、ホスト移動の場合が考慮されていないが、次世代ネットワーク（Ｎｅｘｔ  Ｇｅｎｅｒａｔｉｏｎ  Ｎｅｔｗｏｒｋｓ：ＮＧＮ）の発展につれて、ユーザモビリティ（ｍｏｂｉｌｉｔｙ）とホストマルチホーミング（ｍｕｌｔｉｈｏｍｉｎｇ）の問題がますます一般的になり、このようなＩＰアドレスのセマンティックオーバーロード欠陥が日々厳しくなっている。ホストのＩＰアドレスが変化する場合、ルーティングが変化することだけでなく、通信端末ホストの個体識別子も変化する。ルーティングの変化が受けられてよいが、ホスト識別子の変化は、アプリケーションと接続の中断を引き起こしてしまう。
【０００４】
モビリティとマルチホーミングをサポートし、更に通話連続性をよりよくサポートするために、業界では、ＩＤ−Ｌｏｃ分離（ＩＤ／ｌｏｃａｔｏｒ  ｓｅｐａｒａｔｉｏｎ  ｉｎ  ＮＧＮ：ＩＰＳＰＬＩＴ）技術が提出され、ＩＰＳＰＬＩＴ技術では、ホスト識別子（Ｈｏｓｔ  ＩＤ）をホストの個体識別子として使用し、ホスト識別子は、インターネット（Ｉｎｔｅｒｎｅｔ）に接続する各ホストをグローバルで一意識別する。その目的は、伝送層とネットワーク層を分割し、セキュリティホスト移動とマルチホームの方法をＩｎｔｅｒｎｅｔに提供することと、通信の両側に対してよりやすく認証を行うように、暗号化されたホスト識別子名前空間を提供し、これによって、ネットワークシステムのセキュリティと信頼性を実現することである。ＩＰＳＰＬＩＴネットワークにおいて、ＩＰアドレスは、通信端末ホストのネットワークトポロジーでのルーティング位置のみを表す。この技術は、ＩＰアドレスのセマンティックオーバーロード問題を解決し、ＩＰアドレスの二重機能を分離させ、マルチモビリティ、マルチホーム、ＩＰアドレスの動的再割り当て及び異なるネットワークエリアの間の相互アクセスなどの問題に対するサポートを実現する。
【０００５】
ＩＰＳＰＬＩＴ技術は、ＮＧＮに基づく。ＩＰＳＰＬＩＴネットワークにおいて、ユーザは、モビリティであってよいし、マルチホーミングあってもよい、この場合、１つのユーザＩＰアドレスに対して、非一意に割り当てられるため、１つのホスト識別子が、複数のＩＰアドレスに対応でき、これによって、マルチホーミングとモビリティと問題をよりよく解決することができる。マルチホーミング装置のホスト識別子が、複数のＩＰアドレスに対応し、１つのＩＰアドレスが使用不能になり、又は、よりよいＩＰアドレスがある場合、確立された伝送層の接続は、他のＩＰアドレスに易しく遷移することができる。ホストの移動のため、ＩＰアドレスが変更したが、ホスト識別子が変わらないため、伝送層の接続が中断されなくてよいが、しかし、モバイルノードがＩＰアドレスの変更を自体に通知すべきである。伝送層の接続とホスト識別子とがバウンドされ、ＩＰアドレスがただルーディングとして利用されるため、ＩＰＳＰＬＩＴ技術は、例えば、共通ネットワークと個人ネットワークとの間、ＩＰｖ４ネットワークとＩＰｖ６ネットワークとの間等のような異なるネットワークエリアの間の相互アクセスを実現することができる。
【０００６】
ＮＧＮシステムアーキテクチャは、図１に示すように、ネットワークアクセス制御部と、リソース制御部と、伝送部と、サービス制御部と、ユーザ端末／ユーザネットワーク部とを含む。ここで、
ネットワークアクセス制御部は、ＮＧＮネットワークにアクセスするユーザ端末／ユーザネットワークに、登録、認可許可、アドレス割り当て、パラメータ設定、位置管理等の機能を提供し、例えば、ＩＴＵ−Ｔ  ＮＧＮネットワークにおけるネットワークアタッチメント制御機能（Ｎｅｔｗｏｒｋ  Ａｔｔａｃｈｍｅｎｔ  Ｃｏｎｔｒｏｌ  Ｆｕｎｃｔｉｏｎｓ：ＮＡＣＦ）。
【０００７】
リソース制御部は、ポリシーとネットワークリソース状態に基づいて、ユーザ端末／ユーザネットワークがネットワークにアクセスする時の受付制御、リソース予約等の機能を完了し、例えば、ＩＴＵ−Ｔ  ＮＧＮネットワークにおけるリソース／受付制御機能（Ｒｅｓｏｕｒｃｅ  ａｎｄ  Ａｄｍｉｓｓｉｏｎ  Ｃｏｎｔｒｏｌ  Ｆｕｎｃｔｉｏｎｓ：ＲＡＣＦ）、ＮＧＮにおけるアクセス管理機能（Ａｃｃｅｓｓ  ｍａｎａｇｅｍｅｎｔ  Ｆｕｎｃｔｉｏｎｓ）。
【０００８】
伝送部は、情報の伝送機能を完了し、例えば、ＩＴＵ−Ｔ  ＮＧＮネットワークにおける伝送機能（Ｔｒａｎｓｐｏｒｔ  Ｆｕｎｃｔｉｏｎｓ）。
【０００９】
サービス制御（Ｓｅｒｖｉｃｅ  Ｃｏｎｔｒｏｌ  Ｆｕｎｃｔｉｏｎｓ）部は、サービス層の一部に属し、サービス層において、登録、認可許可、リソース制御などの機能を完了し、例えば、ＩＴＵ−Ｔ  ＮＧＮネットワークにおけるサービス端末認証及び認可プロセス。
【００１０】
ユーザ端末／ユーザネットワーク部は、ネットワークアクセス機能をユーザ提供し、例えば、ＩＴＵ−Ｔ  ＮＧＮネットワークにおけるユーザ装置（Ｕｓｅｒ  Ｅｑｕｉｐｍｅｎｔ：ＵＥ）。
【００１１】
ＩＰＳＰＬＩＴに基づくＮＧＮシステムアーキテクチャは、図２に示すように、その中のネットワークアクセス制御部、リソース制御部、伝送部、サービス制御部、及びユーザ端末／ユーザネットワーク部の機能の役割が、従来のＮＧＮシステムにおける機能の役割に一致する。ＩＤ−Ｌｏｃ分離制御部は、ＩＰＳＰＬＩＴに基づくＮＧＮシステムアーキテクチャでの特有の機能である。
【００１２】
ＩＰＳＰＬＩＴに基づくＮＧＮシステム機能フレームワークは、図３に示すように、その各機能エンティティの役割は、下記のようである。
伝送層ユーザプロファイル機能エンティティ（Ｔｒａｎｓｐｏｒｔ  ＵｓｅｒＰｒｏｆｉｌｅ  Ｆｕｎｃｔｉｏｎａｌ  Ｅｎｔｉｔｙ：ＴＵＰ−ＦＥ）は、伝送層に関連するユーザ情報の記憶を担うことに用いられる。
【００１３】
認証・認可機能エンティティ（Ｔｒａｎｓｐｏｒｔ  Ａｕｔｈｅｎｔｉｃａｔｉｏｎ  ａｎｄ  Ａｕｔｈｏｒｉｚａｔｉｏｎ  Ｆｕｎｃｔｉｏｎａｌ  Ｅｎｔｉｔｙ：ＴＡＡ−ＦＥ）は、伝送層の認可・認証機能を提供し、ユーザ情報に基づいて、ユーザのネットワークアクセスに対して、認可及び許可検査を実行することに用いられる。
【００１４】
アクセス管理機能エンティティ（Ａｃｃｅｓｓ  Ｍａｎａｇｅｍｅｎｔ  Ｆｕｎｃｔｉｏｎａｌ  Ｅｎｔｉｔｙ：ＡＭ−ＦＥ）は、ユーザによって開始されたネットワークアクセス要求に対して翻訳変換を行い、ＩＰアドレスと他のネットワークの構成パラメータを割り当てる要求をＮＡＣ−ＦＥに送信することに用いられる。
【００１５】
伝送層位置管理機能エンティティ（Ｔｒａｎｓｐｏｒｔ  Ｌｏｃａｔｉｏｎ  Ｍａｎａｇｅｍｅｎｔ  Ｆｕｎｃｔｉｏｎａｌ  Ｅｎｔｉｔｙ：ＴＬＭ−ＦＥ）は、ユーザに割り当てたＩＰアドレスとＮＡＣ−ＦＥによって提供された他のネットワーク位置情報を登録することに用いられる。
【００１６】
ネットワークアクセス構成機能エンティティ（Ｎｅｔｗｏｒｋ  ＡｃｃｅｓｓＣｏｎｆｉｇｕｒａｔｉｏｎ  Ｆｕｎｃｔｉｏｎａｌ  Ｅｎｔｉｔｙ：ＮＡＣ−ＦＥ）は、ユーザ端末にＩＰアドレスを割り当てるとともに、他のネットワーク構成パラメータを割り当てるかもしれないことに用いられ、例えば、ＤＮＳサーバのアドレス、シグナリングエージェントのアドレスなど。
【００１７】
ＩＤ−Ｌｏｃ分離マッピング機能エンティティ（Ｉｄ−ｌｏｃ−Ｍａｐｐｉｎｇ  ｆｕｎｃｔｉｏｎａｌ  ｅｎｔｉｔｙ：ＩＬＭ−ＦＥ）は、ＩＤ／ＬＯＣのマッピング及び動的更新を記憶する。
【００１８】
ＮＧＮにおいて、伝送位置管理は、サービス制御層（ＳＣＦ）とＴＬＭ−ＦＥとの相互作用によって実現される。ＳＣＦは、ＴＬＭ−ＦＥから、サービス制御に必要なＩＰ接続セッションの特性を取得し、例えば、ユーザのネットワーク位置情報、ユーザのＩＰアドレス、ＵＥの特性及びＳＣＦ特性など。ＮＧＮにおいて伝送位置管理の実現プロセスは、図４のステップ３０１〜３０２に示すようである。ＳＣＦは、ＴＬＭ−ＦＥに対して、伝送位置クエリを行い、ＴＬＭ−ＦＥは、ＳＣＦに伝送位置応答を送信する。
【００１９】
このプロセスにおいて、伝送層サービス制御プロセスは、ＳＣＦとＴＬＭ−ＦＥとの間の作用によって実現される。ＩＤ−Ｌｏｃ分離に基づくＮＧＮネットワークにおいて、伝送層サービス制御プロセスは、依然として、ＳＣＦとＴＬＭ−ＦＥとの間を介して伝送位置管理を行う場合、一定の欠陥があり、具体的には、下記のようである。
【００２０】
第１では、ＴＬＭ−ＦＥにとって、１つの時刻に、１つのＩＰアドレスのみが存在できるが、ＩＤ−Ｌｏｃ分離に基づくＮＧＮネットワークにおいて、マルチホーミングユーザにとって、同一の時刻に、複数の利用可能なＩＰアドレスが存在してよい、即ち、サービス制御層が、複数の利用可能なＩＰアドレスから１つのＩＰアドレスを選択して使用することができる。
【００２１】
第２では、ＩＤ−Ｌｏｃ分離に基づくＮＧＮネットワークにおいて、伝送層サービス制御層は、ユーザのユーザ識別子を介して、位置管理を行うことができ、このように、ユーザの位置が移動したとしても、そのユーザ識別子が不変であり、サービスの関連性を保証する。ＩＤ−Ｌｏｃ分離に基づくＮＧＮネットワークにおいて、ＴＬＭ−ＦＥがユーザのユーザ識別子の記憶を担わないため、ユーザのユーザ識別子を介して位置管理を行う場合、サービス伝送層サービス制御プロセスは、ＳＣＦとＴＬＭ−ＦＥとの間を介して伝送位置管理を行うことが不可能である。
【発明の概要】
【発明が解決しようとする課題】
【００２２】
本発明が解決しようとする技術的課題は、既存の伝送位置管理においてＳＣＦとＴＬＭ−ＦＥとの間にＩＤ−Ｌｏｃ分離技術に基づいて伝送位置管理を実現できない問題を解決するために、次世代ネットワークでの情報インタラクションの実現方法及びシステムを提供することにある。
【課題を解決するための手段】
【００２３】
前記技術的課題を解決するために、
次世代ネットワークでの情報インタラクションの実現方法であって、
サービス制御機能（ＳＣＦ）が、ＩＤ−Ｌｏｃ分離マッピング機能エンティティ（ＩＬＭ−ＦＥ）に位置クエリ要求メッセージを送信するステップと、
前記ＩＬＭ−ＦＥが、位置情報及び／又はアクセスサービス制御機能のＩＰ接続セッション特性の情報を含む位置クエリ応答メッセージをＳＣＦにフィードバックするステップとを含む。
【００２４】
好ましくは、前記位置クエリ応答メッセージに含まれる情報は、サービス制御機能特性及び／又は伝送サブスクリプション識別子を更に含む。
【００２５】
好ましくは、前記位置情報は、ユーザ識別子及び／又はユーザ装置に割り当てたＩＰアドレスを含む。
【００２６】
前記技術的課題を解決するために、
次世代ネットワークでの情報インタラクションの実現システムであって、
ＩＤ−Ｌｏｃ分離マッピング機能エンティティ（ＩＬＭ−ＦＥ）に位置クエリ要求メッセージを送信するように設定されるサービス制御機能（ＳＣＦ）と、
位置情報及び／又はアクセスサービス制御機能のＩＰ接続セッション特性の情報を含む位置クエリ応答メッセージをＳＣＦにフィードバックするように設定される前記ＩＬＭ−ＦＥとを含む。
【００２７】
好ましくは、前記位置クエリ応答メッセージに含まれる情報は、サービス制御機能特性及び／又は伝送サブスクリプション識別子を更に含む。
【００２８】
好ましくは、前記位置情報は、ユーザ識別子及び／又はユーザ装置に割り当てたＩＰアドレスを含む。
【００２９】
前記技術的課題を解決するために、
次世代ネットワークでの情報インタラクションの実現をサポートするサービス制御機能（ＳＣＦ）であって、
ＩＤ−Ｌｏｃ分離マッピング機能エンティティ（ＩＬＭ−ＦＥ）に位置クエリ要求メッセージを送信するように設定される送信モジュールと、
前記ＩＬＭ−ＦＥによってフィードバックされる位置クエリ応答メッセージを受信するように設定される受信モジュールとを含み、
ここで、前記位置クエリ応答メッセージが、位置情報及び／又はアクセスサービス制御機能のＩＰ接続セッション特性の情報を含む。
【発明の効果】
【００３０】
本発明は、ＳＣＦとＩＬＭ−ＦＥとの間のシグナリングインタラクションに基づいて伝送位置管理を行うため、サービス制御層が、ＩＤ−Ｌｏｃ分離技術を利用してサービス層に対して制御を良く行い、ユーザ識別子の移動位置によってユーザ識別子が不変の特性を利用して、モバイルプロセスにおける端末の高速の伝送位置管理を提供し、ＮＧＮネットワークにおいてユーザ識別子に基づくサービス制御を実現し、モビリティ又はマルチホーミングＩＰアドレスの変化時にユーザのサービスが中断しないことを保証する。
【図面の簡単な説明】
【００３１】
【図１】ＮＧＮシステムアーキテクチャである。
【図２】ＩＰＳＰＬＩＴ−ｂａｓｅｄ  ＮＧＮシステムアーキテクチャである。
【図３】ＩＰＳＰＬＩＴ−ｂａｓｅｄ  ＮＧＮシステム機能フレームワークである。
【図４】ＮＧＮにおける伝送位置管理の模式図である。
【図５】ＩＰＳＰＬＩＴに基づくＮＧＮにおける伝送位置情報の模式図である。
【図６】ＩＰＳＰＬＩＴに基づくＮＧＮにおける伝送ＩＰ接続セッション特性の模式図である。
【発明を実施するための形態】
【００３２】
本発明の目的、技術方案及び利点をより明確にするように、以下、図面を合わせて本発明を更に詳しく説明する。
【００３３】
本発明は、既存のＮＧＮネットワークでの伝送位置管理の不足、即ち、ＣＳＧとＴＬＭ−ＦＥとの間に基づく伝送位置管理に対して、ＩＰＳＰＬＩＴ技術を上手く利用できない欠陥が存在する課題に対して、ＩＤ−Ｌｏｃ分離に基づくＮＧＮでの情報インタラクションを実現する方法及びシステムを提出する。ＩＤ−Ｌｏｃ分離に基づくＮＧＮネットワークにおいて、ＩＤ／ＬＯＣのマッピングがＩＬＭ−ＦＥに記憶され、ユーザのユーザ識別子がＩＬＭ−ＦＥに記憶されるため、本発明は、ＳＣＦとＩＬＭ−ＦＥとの間のシグナリングインタラクションに基づいて伝送位置管理を行うことを提出し、サービス制御層が、ＩＤ−Ｌｏｃ分離技術を上手く利用してサービス層に対して制御を行い、移動位置が変わってもユーザ識別子が変わらない特性を利用して、モバイルプロセスにおける端末の高速の伝送位置管理を提供する。
【００３４】
本発明に係る次世代ネットワークでの情報インタラクションの実現方法であって、
サービス制御機能（ＳＣＦ）がＩＤ−Ｌｏｃ分離マッピング機能エンティティ（ＩＬＭ−ＦＥ）に位置クエリ要求メッセージを送信するステップと、
前記ＩＬＭ−ＦＥが位置情報及び／又はアクセスサービス制御機能のＩＰ接続セッション特性の情報を含む位置クエリ応答メッセージをＳＣＦにフィードバックするステップとを含む。
【００３５】
前記ＳＣＦとＩＬＭ−ＦＥの間に、位置クエリ要求と位置クエリ応答メッセージを利用してインタラクションを行う情報は、前記位置情報と、ＩＰ接続セッション特性の情報とを含み、サービス制御機能特性及び／又は伝送サブスクリプション識別子を更に含んでよい。前記位置情報は、ユーザ識別子及び／又はユーザ装置に割り当てたＩＰアドレスを含む。
【００３６】
ＩＤ−Ｌｏｃ分離マッピング機能エンティティ（ＩＬＭ−ＦＥ）において、ＳＣＦへのフィードバックされて提供される情報は、要求シグナリングの具体的な要求情報コンテンツによって決定され、要求シグナリングの具体的なコンテンツに応じて異なる。
【００３７】
例えば、ＩＤ−Ｌｏｃ分離に基づくＮＧＮネットワークにおいて、ＮＧＮサービス制御機能ＳＣＦがＩＬＭ−ＦＥから位置情報を取得する場合、位置クエリ要求シグナリングと位置クエリ応答シグナリングとのインタラクションによって実現され、具体的な要求情報と応答情報は、ユーザ識別子又はＩＰアドレスなどの、位置に関連する位置情報であってよい。
【００３８】
例えば、ＩＤ−Ｌｏｃ分離に基づくＮＧＮネットワークにおいて、ＮＧＮサービス制御機能ＳＣＦがＩＬＭ−ＦＥから、サービス制御に必要なＩＰ接続セッションの特性を取得する場合、位置クエリ要求シグナリングと位置クエリ応答シグナリングとのインタラクションによって実現され、具体的な要求情報と応答情報は、ＩＰ接続セッションの特性情報であってよい。
【００３９】
本発明は、サービス制御機能（ＳＣＦ）と、ＩＤ−Ｌｏｃ分離マッピング機能エンティティ（ＩＬＭ−ＦＥ）とを含む次世代ネットワークでの情報インタラクションの実現システムを更に提供し、ここで、
サービス制御機能（ＳＣＦ）は、ＩＤ−Ｌｏｃ分離マッピング機能エンティティ（ＩＬＭ−ＦＥ）に位置クエリ要求メッセージを送信するように設定され、
前記ＩＬＭ−ＦＥは、位置情報及び／又はアクセスサービス制御機能のＩＰ接続セッション特性の情報を含む位置クエリ応答メッセージをＳＣＦにフィードバックするように設定される。
【００４０】
前記ＳＣＦとＩＬＭ−ＦＥとの間に、位置クエリ要求と位置クエリ応答メッセージを利用してインタラクションを行う情報は、前記位置情報と、ＩＰ接続セッション特性の情報とを含み、サービス制御機能特性及び／又は伝送サブスクリプション識別子を更に含んでよい。前記位置情報は、ユーザ識別子及び／又はユーザ装置に割り当てたＩＰアドレスを含む。
【００４１】
前記ＳＣＦは、送信モジュールと、受信モジュールとを含み、ここで、
前記送信モジュールは、ＩＤ−Ｌｏｃ分離マッピング機能エンティティ（ＩＬＭ−ＦＥ）に位置クエリ要求メッセージを送信するように設定され、
前記受信モジュールは、前記ＩＬＭ−ＦＥによってフィードバックされる位置クエリ応答メッセージを受信するように設定され、ここで、前記位置クエリ応答メッセージが、位置情報及び／又はアクセスサービス制御機能のＩＰ接続セッション特性の情報を含む。
【００４２】
ＩＤ−Ｌｏｃ分離マッピング機能エンティティ（ＩＬＭ−ＦＥ）において、ＳＣＦへのフィードバックされて提供される情報は、要求シグナリングの具体的な要求情報コンテンツによって決定され、要求シグナリングの具体的なコンテンツに応じて異なる。
【００４３】
例えば、ＩＤ−Ｌｏｃ分離に基づくＮＧＮネットワークにおいて、ＮＧＮサービス制御機能ＳＣＦがＩＬＭ−ＦＥから位置情報を取得する場合、位置クエリ要求シグナリングと位置クエリ応答シグナリングとのインタラクションによって実現され、具体的な要求情報と応答情報は、ユーザ識別子又はＩＰアドレスなどの位置に関連する位置情報であってよい。
【００４４】
例えば、ＩＤ−Ｌｏｃ分離に基づくＮＧＮネットワークにおいて、ＮＧＮサービス制御機能ＳＣＦがＩＬＭ−ＦＥから、サービス制御に必要なＩＰ接続セッションの特性を取得する場合、位置クエリ要求シグナリングと位置クエリ応答シグナリングとのインタラクションによって実現され、具体的な要求情報と応答情報は、ＩＰ接続セッションの特性情報であってよい。
【００４５】
更に、前記次世代ネットワークでの情報インタラクションの実現システムは、図３に示すように、
伝送層に関連するユーザ情報の記憶を担うことに用いられる伝送層ユーザプロファイル機能エンティティ（Ｔｒａｎｓｐｏｒｔ  Ｕｓｅｒ  Ｐｒｏｆｉｌｅ  Ｆｕｎｃｔｉｏｎａｌ  Ｅｎｔｉｔｙ：ＴＵＰ−ＦＥ）と、
伝送層の認可・認証機能を提供し、ユーザ情報に基づいて、ユーザのネットワークアクセスに対して、認可及び許可検査を実行することに用いられる認証・認可機能エンティティ（Ｔｒａｎｓｐｏｒｔ  Ａｕｔｈｅｎｔｉｃａｔｉｏｎ  ａｎｄ  Ａｕｔｈｏｒｉｚａｔｉｏｎ  Ｆｕｎｃｔｉｏｎａｌ  Ｅｎｔｉｔｙ：ＴＡＡ−ＦＥ）と、
ユーザによって開始されたネットワークアクセス要求に対して翻訳変換を行い、ＩＰアドレスと他のネットワーク構成パラメータを割り当てる要求をＮＡＣ−ＦＥに送信することに用いられるアクセス管理機能エンティティ（Ａｃｃｅｓｓ  Ｍａｎａｇｅｍｅｎｔ  Ｆｕｎｃｔｉｏｎａｌ  Ｅｎｔｉｔｙ：ＡＭ−ＦＥ）と、
ユーザに割り当てたＩＰアドレスとＮＡＣ−ＦＥによって提供された他のネットワーク位置情報を登録することに用いられる伝送層位置管理機能エンティティ（Ｔｒａｎｓｐｏｒｔ  Ｌｏｃａｔｉｏｎ  Ｍａｎａｇｅｍｅｎｔ  Ｆｕｎｃｔｉｏｎａｌ  Ｅｎｔｉｔｙ：ＴＬＭ−ＦＥ）と、
ユーザ端末に、ＩＰアドレスを割り当てるとともに、ユーザ端末に、他のネットワーク構成パラメータを割り当てることに用いられ、例えば、ＤＮＳサーバーのアドレス、シグナリングエージェントのアドレスなどのネットワークアクセス構成機能エンティティ（Ｎｅｔｗｏｒｋ  Ａｃｃｅｓｓ  Ｃｏｎｆｉｇｕｒａｔｉｏｎ  Ｆｕｎｃｔｉｏｎａｌ  Ｅｎｔｉｔｙ：ＮＡＣ−ＦＥ）と、を更に含む。
【００４６】
本発明によれば、ＩＤ−Ｌｏｃ分離に基づくＮＧＮネットワークにおいて、情報インタラクションを介して伝送位置管理を実現し、モビリティ又はマルチホーミングによるＩＰアドレスが変化する時に、ユーザのサービスが中断しないことを保証する。
【００４７】
実施形態１
ＩＤ−Ｌｏｃ分離に基づく次世代ネットワーク（Ｎｅｘｔ  ＧｅｎｅｒａｔｉｏｎＮｅｔｗｏｒｋｓ：ＮＧＮ）ネットワークにおいて、ＮＧＮサービス制御機能ＳＣＦ（Ｓｅｒｖｉｃｅ  Ｃｏｎｔｒｏｌ  Ｆｕｎｃｔｉｏｎｓ）が、ＩＤ−Ｌｏｃ分離マッピング機能エンティティ（Ｉｄ−ｌｏｃ−Ｍａｐｐｉｎｇ  ｆｕｎｃｔｉｏｎａｌ  ｅｎｔｉｔｙ）から伝送位置管理情報を取得することを実現する方法は、図５に示すようである。
【００４８】
ステップ１：認証と認可プロセス。
【００４９】
ユーザ装置ＵＥ（Ｕｓｅｒ  Ｅｑｕｉｐｍｅｎｔ）が、アクセス管理機能エンティティＡＭ−ＦＥ（Ａｃｃｅｓｓ  Ｍａｎａｇｅｍｅｎｔ  Ｆｕｎｃｔｉｏｎａｌ  Ｅｎｔｉｔｙ）にネットワークアタッチを要求し、ＡＭ−ＦＥが、ＩＬＭ−ＦＥを介してユーザの認証と認可プロセスを完了する。
【００５０】
ステップ２：ＩＰアドレス構成プロセス。
【００５１】
ＩＰアドレスの構成プロセスは、一般的なＮＧＮシステムにおける端末のＩＰアドレス構成プロセスに一致し、それは、自己構成を介して取得してよい、ＤＨＣＰ方式を介して取得してもよい。ＩＰアドレス構成プロセスは、ＵＥがＤＨＣＰを介してアドレス要求をネットワークアクセス管理機能エンティティＮＡＣ−ＦＥ（Ｎｅｔｗｏｒｋ  Ａｃｃｅｓｓ  Ｃｏｎｆｉｇｕｒａｔｉｏｎ  Ｆｕｎｃｔｉｏｎａｌ  Ｅｎｔｉｔｙ）に送信し、ＮＡＣ−ＦＥが、バインディング情報をＴＬＭ−ＦＥにプッシュ（ｐｕｓｈ）し、このバインディング情報には、ＮＡＣＦによる割り当てられた一時アドレスと他の関連情報、例えば、ロジック、物理ポートアドレス伝送に関連する情報が含まれる。ＴＬＭ−ＦＥが、ポリシー情報をＲＡＣＦにプッシュ（ｐｕｓｈ）するとともに、アドレスを含むバインディング情報をＮＡＣ−ＦＥに提供し、ＮＡＣ−ＦＥが、新しいＩＰアドレスをＵＥに割り当てる。
【００５２】
ステップ３：ＩＤ／ＬＯＣマッピングプロセス。
【００５３】
ユーザがＩＰアドレスを取得した後、ＩＬＭ−ＦＥにおいて、ホスト識別子（Ｈｏｓｔ  ＩＤ）と位置ＬＯＣとのバインディングマッピングを行う。このマッピングプロセスは、端末によって自動的に開始されてもよい、ネットワーク側によって自動的に開始されてもよい。ユーザがモビリティ又はマルチホーミングである場合に、同一の時刻又は異なる時刻で、同一のユーザ識別子ＨｏｓｔＩＤは、複数の位置ＬＯＣに対応できる。即ち、ＩＬＭ−ＦＥデータベースにおけるユーザ識別子ＨｏｓｔＩＤと位置ＬＣＯとのマッピングバインディングは、１対１対応してよいし、１対多対応してもよい。これは、一般的なＮＧＮネットワークにおける同一の時刻でＴＬＭにおいて１つのＩＰアドレスのみが１つのユーザに対応することと異なる。
【００５４】
ステップ４：伝送位置管理プロセス。
【００５５】
サブステップ４０１：ＳＣＦがＩＬＳＭ−ＦＥに位置クエリ要求を送信し、位置情報の取得を要求する。
【００５６】
サブステップ４０２：ＩＬＭ−ＦＭが、ユーザ個体識別子ＨｏｓｔＩＤを含む位置クエリ応答をＳＣＦに返す。
【００５７】
実施形態２
ＳＣＦがＩＬＭ−ＦＥから、サービス制御に必要なＩＰ接続セッション特性を取得し、例えば、ＳＣＦがＩＬＭ−ＦＥからユーザ情報を取得する情報クエリの実現方法は、図６に示すようである。
【００５８】
ステップ１：認証と認可プロセス。
【００５９】
ＵＥが、ＡＭ−ＦＥにネットワークアタッチを要求し、ＡＭ−ＦＥが、ＩＬＭ−ＦＥを介してユーザの認証と認可プロセスを完了する。
【００６０】
ステップ２：ＩＰアドレス構成プロセス。
【００６１】
ＩＰアドレスの構成プロセスは、一般的なＮＧＮシステムにおける端末のＩＰアドレス構成プロセスに一致し、それは、自己構成を介して取得してよい、ＤＨＣＰ方式を介して取得してもよい。ＩＰアドレス構成プロセスは、ＵＥがＤＨＣＰを介してアドレス要求をＮＡＣ−ＦＥに送信し、ＮＡＣ−ＦＥが、バインディング情報をＴＬＭ−ＦＥにプッシュ（ｐｕｓｈ）し、このバインディング情報には、ＮＡＣＦによって割り当てられた一時アドレスと他の関連情報、例えば、ロジック、物理ポートアドレス伝送に関連する情報が含まれる。ＴＬＭ−ＦＥは、ポリシー情報をＲＡＣＦにプッシュ（ｐｕｓｈ）するとともに、アドレスを含むバインディング情報をＮＡＣ−ＦＥに提供し、ＮＡＣ−ＦＥが、新しいＩＰアドレスをＵＥに割り当てる。
【００６２】
ステップ３：ＩＤ／ＬＯＣマッピングプロセス。
【００６３】
ユーザがＩＰアドレスを取得した後、ＩＬＭ−ＦＥにおいてホスト識別子（Ｈｏｓｔ  ＩＤ）と位置ＬＯＣとのバインディングマッピングを行う。このマッピングプロセスは、端末によって自動的に開始されてもよい、ネットワーク側によって自動的に開始されてもよい。ユーザがモビリティ又はマルチホーミングである場合に、同一の時刻又は異なる時刻で、同一のユーザ識別子ＨｏｓｔＩＤは、複数の位置ＬＯＣに対応してよい。即ち、ＩＬＭ−ＦＥデータベースにおけるユーザ識別子ＨｏｓｔＩＤと位置ＬＣＯとのマッピングバインディングは、１対１対応してよいし、１対多対応してもよい。これは、一般的なＮＧＮネットワークにおける同一の時刻でＴＬＭにおいて１つのＩＰアドレスのみが１つのユーザに対応することと異なる。
【００６４】
ステップ４：伝送位置管理プロセス。
【００６５】
サブステップ５０１：ＳＣＦがＩＬＳＭ−ＦＥに位置クエリ要求を送信し、ＩＰ接続セッション特性の取得を要求する。
【００６６】
サブステップ５０２：ＩＬＭ−ＦＭが位置クエリ応答をＳＣＦに返し、このメッセージには、例えば、論理接続識別子（Ｌｏｇｉｃａｌ  Ｃｏｎｎｅｃｔｉｏｎ  Ｉｄｅｎｔｉｆｉｅｒ）、物理接続識別子（Ｐｈｙｓｉｃａｌ  Ｃｏｎｎｅｃｔｉｏｎ  Ｉｄｅｎｔｉｆｉｅｒ）、アクセスネットワークタイプ（Ｔｙｐｅ  ｏｆ  Ａｃｃｅｓｓ  Ｎｅｔｗｏｒｋ）などのような、ＳＣＦに必要なＩＰ接続セッション特性が含まれる。
【００６７】
特定の実施例に合わせて本発明を説明したが、当業者にとっては、本発明の精神と範囲から逸脱しない限りに、変更や変化がある。このような変更や変化は、本発明の範囲と請求の範囲に含まれるべきである。
【産業上の利用可能性】
【００６８】
本発明は、次世代ネットワークでの情報インタラクションの実現方法及びシステムを提供し、ＳＣＦとＩＬＭ−ＦＥとの間のシグナリングインタラクションに基づいて伝送位置管理を行い、サービス制御層が、ＩＤ−Ｌｏｃ分離技術を上手く利用してサービス層に対して制御を行い、移動位置が変わってもユーザ識別子が変わらない特性を利用して、モバイルプロセスにおける端末の高速の伝送位置管理を提供し、ＮＧＮネットワークにおいてユーザ識別子に基づくサービス制御を実現し、モビリティ又はマルチホーミングによるＩＰアドレスが変わった時に、ユーザのサービスが中断しないことを保証する。
【図１】
2013509114.tif 000003
【図２】
2013509114.tif 000004
【図３】
2013509114.tif 000005
【図４】
2013509114.tif 000006
【図５】
2013509114.tif 000007
【図６】
2013509114.tif 000008
【国際調査報告】
2013509114.tif 000009
2013509114.tif 000010
2013509114.tif 000011
2013509114.tif 000012